(57)【要約】      （修正有）【課題】加熱速度をより速くできるほか、体温計を測定部位に移されたときに、体温に近い温度を維持しながら体温を素早く測定できる予熱式高速測定体温計を提供する。【解決手段】主に加熱ケースと体温計を有する。加熱ケースは外部加熱モジュール、第１接ぎ合わせ部材及び制御回路を有し、該体温計はセンサーヘッド、第２接ぎ合わせ部材、温度測定モジュール及び加熱モジュールを有する。加熱ケースの外部加熱モジュール及び体温計はセンサーヘッドに、内部加熱モジュールは温度計の前頸部にそれぞれ加熱した上、温度測定モジュールより温度信号を制御回路に伝送し、制御回路は所定の加熱値に従い、外部加熱モジュール及び加熱モジュールに対する電気供給の必要性を判断する。【選択図】図２
0003141400.tif 000002
【実用新案登録請求の範囲】
【請求項１】
加熱ケースと体温計を含め、
加熱ケースは電源に接続され、加熱ケースに収容溝を備え、収容溝の一端に外部加熱モジュールを設け、該外部加熱モジュールは予熱温度を提供、収容溝の他端に第１接ぎ合わせ部材を備え、加熱ケース内部に制御回路を設ける、
体温計にセンサーヘッド、第２接ぎ合わせ部材、温度測定モジュール及び内部加熱モジュールを設け、体温計を加熱ケースに置いた後、第２接ぎ合わせ部材は加熱ケースの第１接ぎ合わせ部材と互いに接ぎ合わせる、センサーヘッドは加熱ケース内部の収容溝に設け、外部加熱モジュールの付近部に固定される、
加熱ケースの外部加熱モジュールはセンサーヘッドに、体温計の内部加熱モジュールは前頸部に、それぞれ加熱を行い、温度測定モジュールはセンサーヘッドの温度信号を制御回路に伝送し、制御回路は設定された加熱値（摂氏３９℃以上）及び温度が低下した一定の値に従い、外部加熱モジュール及び内部加熱モジュールに電気供給するか否かの判断を行うことを特徴とるす、予熱式高速測定体温計。
【請求項２】
体温計の第２接ぎ合わせ部材と加熱ケースの第１接ぎ合わせ部材は、第１接ぎ合わせ部材の導通端子、信号端子及び第２接ぎ合わせ部材を有し、第１接ぎ合わせ部材と第２接ぎ合わせ部材を接ぎ合わせたとき、二つの導通端子が導通し、二つの信号端子が導通することを特徴とする、請求項１記載の予熱式高速測定体温計。
【請求項３】
該電源は制御回路に直結し、制御回路は電源コードを介して外部加熱モジュールに接続され、加熱電線により第１接ぎ合わせ部材、第２接ぎ合わせ部材に接続した上、第２接ぎ合わせ部材に接続された加熱電線を介して体温計の内部加熱モジュールに接続することを特徴とする、請求項１記載の予熱式高速測定体温計。
【請求項４】
該体温計の温度測定モジュールはセンサーヘッド及び加熱ケースの制御回路の間に接続され、温度測定モジュールの温度信号は信号伝送線により、第２接ぎ合わせ部材、第１接ぎ合わせ部材に接続してから、第１接ぎ合わせ部材に接続された信号伝送線を介して制御回路に接続することを特徴とする、請求項１記載の予熱式高速測定体温計。
【考案の詳細な説明】
【技術分野】
【０００１】
本考案は体温計であって、特に診療所、病院又は家庭で家族が病気のため、体温計を頻繁に使用の必要があるとき、予熱時間を待たずに、高速、かつ精確な体温測定できる一種の予熱式高速測定体温計に係わるものである。
【背景技術】
【０００２】
体温計の予熱構造について、公知技術は例えばＵ．Ｓ．Ｐａｔｅｎｔ  Ｎｏ：６，１０９，７８４ ＦＡＳＴ  ＲＥＳＰＯＮＳＥ  ＤＩＧＩＴＡＬ  ＴＨＥＲＭＯＭＥＴＥＲ（高速応答デジタル体温計）及びＵ．Ｓ．Ｐａｔｅｎｔ  Ｎｏ：６，２５０，８０２  ＥＬＥＣＴＲＯＮＩＣ
ＴＨＥＲＭＯＭＥＴＥＲ  ＷＩＴＨ  ＰＲＥ−ＨＥＡＨＥＡＴＩＮＧ（予熱機能を備えた電子体温計）がある。これらで開示された温度計構造は、主に体温計の内蔵電池によってセンサーヘッドをあらかじめに加熱し、測定時間の短縮を図る。
【特許文献１】Ｕ．Ｓ．Ｐａｔｅｎｔ  Ｎｏ：６，１０９，７８４  ＦＡＳＴ  ＲＥＳＰＯＮＳＥ  ＤＩＧＩＴＡＬ  ＴＨＥＲＭＯＭＥＴＥＲ（高速応答デジタル体温計）
【特許文献２】Ｕ．Ｓ．Ｐａｔｅｎｔ  Ｎｏ：６，２５０，８０２  ＥＬＥＣＴＲＯＮＩＣＴＨＥＲＭＯＭＥＴＥＲ  ＷＩＴＨ  ＰＲＥ−ＨＥＡＨＥＡＴＩＮＧ（予熱機能を備えた電子体温計）
【考案の開示】
【考案が解決しようとする課題】
【０００３】
しかし、この種の体温計の内蔵電池による加熱は、以下の欠点がある。
１．体温計内部電池の容量が限られているため、予熱に電気を消費するほか、長時間に掛かる。
２．使用前に予熱機能の起動が必要のため、起動から予熱完了までの待機期間が必要である。
３．この種の予熱は、一般の人体温度が摂氏３５℃~３７℃で、温度計を人体に移動して温度測定すると、予熱温度は放熱効果により低下するため、測定するときは測定部位の温度が降下してしまい、測定速度を確実に向上できない。
４．予熱用のヒーターがセンサーヘッド内部に侵入するため、全体の加熱容積が大きくなり、測定時間が長くなる。
【０００４】
もう一種公知の予熱式体温計は加熱ケースを設けて、センサーヘッドに直接加熱する。この種の設計は高速加熱の効果はあるものの、体温計のセンサーヘッド外部を加熱して温度を上昇させるが、体温計を加熱ケースから取り出すと、外部の冷たい空気に接触すると、温度は素早く下がってしまう。
【課題を解決するための手段】
【０００５】
一種の内部・外部から二重加熱可能な予熱式体温計を提供することを本考案の主な目的である。体温計内部の内部・外部加熱モジュールより体温計の前頸部内部に加熱を行うほか、加熱ケースの外部加熱モジュールをもって、センサーヘッド外部を加熱することにより、高速予熱を実現する。そこで、体温計を加熱ケースから取り出されても体温計内部に備える加熱モジュールによって熱エネルギーが保たれて、体温計前頸部の温度の急速低下は避けられる。
【０００６】
前記した予熱式体温計は人体温度（摂氏３９℃以上、４２℃が好ましい）に予熱して置く、体温計を加熱ケースより体に取り出されたとき、空気の冷却働きにより体温と同レベルの温度に下げて、設定された温度上昇又は温度低下時間値範囲に従い体温値を取得する。これにより、測定時間を短縮でき、かつより高速測定できる。
【０００７】
前記の予熱式体温計は体温計を予熱するとき、外部電源又は大容量電池より体温計の内部加熱モジュールと加熱ケースの外部加熱モジュールに電気を供給し、体温計の前頸部及びセンサーヘッドに加熱を行う。加熱後温度が設定温度値に達したとき、体温計の温度測定モジュールより温度信号を加熱ケースに設けられた制御回路に伝送し、加熱ケースへの電気供給及び加熱を中止させる。そして、温度が設定値までに低下したとき、ふたたび前記の手段により、加熱ケースに信号を送って加熱を行う。
【０００８】
体温計は予熱機能を使用しないときも、通常の体温計の使用機能を有する一種の予熱式高速測定体温計を提供することを本考案もう一つの目的である。
【考案を実施するための最良の形態】
【０００９】
以下、添付図面を参照して本考案の実施の形態を詳細に説明する。
【実施例】
【００１０】
図１ないし図４に示す本考案の予熱式体温計は、主に加熱ケース１及び体温計２より構成する。そのうち、加熱ケース１は電源に接続する。さらに、外部電源３又は加熱ケース１内部に大容量電池１４より電気を提供しても良い。該加熱ケース１に収容溝１１を設け、その一端に外部加熱モジュール１５を取り付ける。外部加熱モジュール１５は予熱の温度を提供できる。収容溝１１内部の他端に第１接ぎ合わせ部材１２を設け、加熱ケース１内部に制御回路１３を設ける。該加熱ケース１は電気エネルギーを外部加熱モジュール１５及び体温計２前頸部２１１内蔵の内部加熱モジュール２５に電気を提供して加熱する。体温計２は加熱ケース１との結合による予熱機能を使用しないときも、一般の体温計として使用できる。
【００１１】
前記の体温計２に本体２１、前頸部２１１、表示窓２２、センサーヘッド２３、第２接ぎ合わせ部材２４及び内部加熱モジュール２５を設ける。体温計２を加熱ケース１に置くと、センサーヘッド２３は加熱ケース１の収容溝１１に収容され、外部加熱モジュール１５付近部に固定される。該第２接ぎ合わせ部材２４は加熱ケース１の第１接ぎ合わせ部材１２との挿接により電気が導通され、信号伝送できる。温度測定のとき、体温計２内蔵の温度測定モジュール２６は電気回路を制御し表示と警告機能を有する。
【００１２】
引き続き、図３ないし図６を参照する。体温計２は本体２１及びセンサーヘッド２３との間の前頸部２１１内部に内部加熱モジュール２５を設け、該内部加熱モジュール２５と第２接ぎ合わせ部材２４との間に加熱電線２４ａを設けて、第２接ぎ合わせ部材２４と加熱ケース１の第１接ぎ合わせ部材１２との挿接により電気導通されたときに、内部加熱モジュール２５に電気を供給する。このほか、加熱ケース１に備える収容溝１１の一端に外部加熱モジュール１５を設け、加熱ケース１は電源に接続する。該電源は外部電源３又は加熱ケース１内部に大容量電池１４を設けても良い。加熱ケース１内部に制御回路１３を設ける。前記した電源の一端は制御回路１３に直結し、制御回路１３は電源コード１３１を介して、外部加熱モジュール１５に接続する。制御回路１３は加熱電線１２ａを介して第１接ぎ合わせ部材１２に接続してから、第２接ぎ合わせ部材２４の加熱電線２４ａにより体温計２の内部加熱モジュール２５に接続する。これにより、電気は制御回路１３を介して内部加熱モジュール２５及び外部加熱モジュール１５に電気エネルギーを提供できる。
【００１３】
体温計２の第２接ぎ合わせ部材２４と加熱電線１の第１接ぎ合わせ部材１２は、電気導通機構を有するほか、信号接続機構を含まれる。前記の電気導通機構は、第１接ぎ合わせ部材１２の導通端子１２１及び第２接ぎ合わせ部材２４の導通端子２４１を含まれる、第１接ぎ合わせ部材１２及び第２接ぎ合わせ部材２４を接ぎ合わせたとき、二つの導通端子１２１、２４１は互いに導通し接続される。前記の信号接続機構は、第１接ぎ合わせ部材１２の信号端子１２２及び第２接ぎ合わせ部材２４の信号端子２４２を有する。第１接ぎ合わせ部材１２及び第２接ぎ合わせ部材２４を接ぎ合わせた後、二つの信号端子１２２、２４２は互いに接続し信号伝送ができる。
【００１４】
体温計２の温度測定モジュール２６はセンサーヘッド２３と加熱ケース１の制御回路１３との間に接続され、センサーヘッド２３と温度測定モジュール２６との間信号伝送線２７を設けて、温度測定モジュール２６は該信号伝送線２７を介してセンサーヘッド２３の温度信号を検出する。さらに、体温計２の温度測定モジュール２６と第２接ぎ合わせ部材２４との間に信号伝送線２４ｂを設け、制御回路１３と第１接ぎ合わせ部材１２も信号伝送線１２ｂを設けて、温度測定モジュール２６より発生する温度信号は信号伝送線２４ｂを介して、第２接ぎ合わせ部材２４とそれに接ぎ合わせた第１接ぎ合わせ部材１２に連結した上、信号伝送線１２ｂを介して制御回路１３に接続する。
【００１５】
体温計２を加熱ケース１に置くと、体温計２の第２接ぎ合わせ部材２４と加熱ケース１の第１接ぎ合わせ部材１２と互いに挿接し、電気エネルギーは制御回路１３を介して内部加熱モジュール２５に提供される。使用するとき、起動した後前記の外部加熱モジュール１５により、体温計２のセンサーヘッド２３に対して予熱を行い、内部加熱モジュール２５は体温計２の前頸部２１１に対して予熱を行う。これに伴い、温度測定モジュール２６よりセンサーヘッド２３の温度信号を検知し、第２接ぎ合わせ部材２４及び第１接ぎ合わせ部材１２を介して、加熱ケース１内部の制御回路１３に伝送する。制御回路１３より体温計２センサーヘッド２３の温度が設定の加熱温度（摂氏３９℃以上、４２℃が好ましい。）に達したことを検出した後、制御回路１３より電気供給を制御して、外部加熱モジュール１５と内部加熱モジュール２５の加熱を中止する。これに対して、制御回路１３より体温計２センサーヘッド２３の温度が設定の加熱温度を下回り、かつ一定温度を低下していることを検出したとき、ふたたび電気を提供し外部加熱モジュール１５と内部加熱モジュール２５より体温計２のセンサーヘッド２３及び前頸部２１１への加熱を行う。
【００１６】
本考案は体温計２の内部加熱モジュール２５により前頸部２１１に、加熱ケース１の外部加熱モジュール１５によりセンサーヘッド２３外部部位に、それぞれ加熱するときは外部電源を使用するため、バランスを取った高速予熱効果がある。さらに、内部加熱モジュール２５を体温計２内部に設けることにより、体温計２を加熱ケース１から離れていても、保温の働きにより、温度低下は少なく済む。
【００１７】
本考案人の実験によると、体温計２を摂氏４２℃に予熱した後、室温環境において、体温計を人体に温度測定したとき、大気による冷却働きはおよそ摂氏３５℃~３７℃に低下され、体の温度に近い結果が得られた。測定するとき、設定時間内に温度上昇又は温度低下が摂氏０．１℃を超えないときは測定を完了できる。人体の温度は温度計による吸熱低下がないため、測定時間を短縮し、高速予熱と高速測定の二重効果を有する。
【図面の簡単な説明】
【００１８】
【図１】本考案の外観立体図
【図２】本考案による体温計と加熱ケースを単独構造に設けた外観立体図
【図３】本考案による電気回路制御ブロック図
【図４】本考案による加熱ケース内部構造の断面概略図
【図５】本考案による温度計を加熱ケース内に設ける構造断面概略図
【図６】本考案図５に示すＡ部分構造の拡大平面図
【符号の説明】
【００１９】
１              加熱ケース
１１          収容溝
１２          第１接ぎ合わせ部材
１２１      導通端子
１２２      信号端子
１２ａ      加熱電線
１２ｂ      信号伝送線
１３          制御回路
１３１      電源コード
１４          電池
１５          外部加熱モジュール
２              体温計
２１          本体
２１１      前頸部
２２          表示窓
２３          センサーヘッド
２４          第２接ぎ合わせ部材
２４１      導通端子
２４２      信号端子
２４ａ      加熱電線
２４ｂ      信号伝送線
２５          内部加熱モジュール
２６          温度測定モジュール
２７          信号伝送線
３              外部電源
【図１】
0003141400.tif 000003
【図２】
0003141400.tif 000004
【図３】
0003141400.tif 000005
【図４】
0003141400.tif 000006
【図５】
0003141400.tif 000007
【図６】
0003141400.tif 000008